【手続補正書】
【提出日】平成21年8月31日(2009.8.31)
【手続補正１】
【補正対象書類名】特許請求の範囲
【補正対象項目名】全文
【補正方法】変更
【補正の内容】
【特許請求の範囲】
【請求項１】
転写材にトナー像を形成する画像形成部と、前記転写材に形成されたトナー像を定着する定着手段と、前記転写材を前記画像形成部および前記定着手段に挟持搬送する搬送手段とを備えた画像形成装置において、  前記搬送手段は、前記転写材を前記画像形成部に移動させる第１搬送手段と、前記転写材にトナー像が形成された後、前記転写材の搬送方向を偏位して前記転写材を前記定着手段に移動させる第２搬送手段とを有し、 前記第２搬送手段は、前記転写材の搬送方向に回転自在なローラ体と、前記転写材を介して前記ローラ体にトナー像のトナーの極性と同極性の帯電を付与する帯電手段とを有することを特徴とする画像形成装置。
【請求項２】
前記帯電手段の印加電圧を、５０００Ｖから７５００Ｖとなるようにしたことを特徴とする請求項１記載の画像形成装置。
【請求項３】
前記帯電手段は、前記転写材にトナー像が形成された面に対向して開口を有するコロナハウスと、前記コロナハウス内に張架されたコロナワイヤとを含み、  前記コロナハウスは、前記ローラ体の湾曲部に沿うように形成されていることを特徴とする請求項１または２記載の画像形成装置。
【請求項４】
前記コロナハウスの前端と後端には、長手方向に、該コロナハウス内への進入を防止するとともに、前記画像形成部を通過した前記転写材を前記定着手段に搬送するガイドローラが設けられていることを特徴とする請求項３記載の画像形成装置。
【請求項５】
前記コロナハウスには、前記ローラ体に移動した前記転写材上に、風を吹き付ける送風手段が設けられていることを特徴とする請求項３または４記載の画像形成装置。
【請求項６】
前記定着手段と前記第２搬送手段との距離は、前記転写材が前記定着手段近傍に移動するに伴い、前記帯電手段によって前記転写材に付与された帯電量が減衰し、前記転写材が前記定着手段近傍に移動したときには、前記転写材に形成されたトナー像に付与された帯電量と略同量となる長さを有することを特徴とする請求項１記載の画像形成装置。
【請求項７】
転写材にトナー像を形成する画像形成部と、前記転写材に形成されたトナー像を定着する定着手段と、前記転写材を前記画像形成部および前記定着手段に挟持搬送する搬送手段とを備えた画像形成装置において、  前記搬送手段は、前記転写材を前記画像形成部に移動させる第１搬送手段と、前記転写材にトナー像が形成された後、前記転写材を前記定着手段に移動させる第２搬送手段とを有し、  前記第２搬送手段は、前記転写材の搬送方向を偏位する回転自在なローラ体と、前記転写材を介して前記ローラ体に、前記トナーの極性と同極性の印加電圧を付与する帯電手段とを備え、  前記帯電手段は、前記転写材にトナー像が形成された面に対向して開口を備えるとともに、前記ローラ体の曲部に沿うように形成されたコロナハウスと、該コロナハウス内に張架されたコロナワイヤとを含み、  前記コロナハウスの前端と後端には、長手方向に、該コロナハウス内への進入を防止するとともに、前記画像形成部を通過した前記転写材を前記定着手段に搬送するガイドローラが設けられ、  前記定着手段と前記第２搬送手段との距離は、前記転写材が前記定着手段近傍に移動するに伴い、前記帯電手段によって前記転写材に付与された帯電量が減衰し、前記転写材が前記定着手段近傍に移動したときには、前記転写材に形成されたトナー像に付与された帯電量と略同量となる長さを有することを特徴とする画像形成装置。
【手続補正２】
【補正対象書類名】明細書
【補正対象項目名】００１８
【補正方法】変更
【補正の内容】
【００１８】  上記問題を解決するために、本発明は、転写材にトナー像を形成する画像形成部と、転写材に形成されたトナー像を定着する定着手段と、転写材を画像形成部および定着手段に挟持搬送する搬送手段とを備えた画像形成装置において、搬送手段は、転写材を画像形成部に移動させる第１搬送手段と、転写材にトナー像が形成された後、転写材の搬送方向を偏位して転写材を定着手段に移動させる第２搬送手段とを有し、第２搬送手段は、転写材の搬送方向に回転自在なローラ体と、転写材を介してローラ体にトナー像のトナーの極性と同極性の帯電を付与する帯電手段とを有することを特徴とする。
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】変更
【補正の内容】
【００２１】 請求項２記載の発明は、帯電手段の印加電圧を、５０００Ｖから７５００Ｖとなるようにしたことを特徴とする。
【手続補正６】
【補正対象書類名】明細書
【補正対象項目名】００２２
【補正方法】変更
【補正の内容】
【００２２】 請求項３記載の発明は、帯電手段を、転写材にトナー像が形成された面に対向して開口を有するコロナハウスと、コロナハウス内に張架されたコロナワイヤとにより構成し、コロナハウスは、湾曲部に沿うように形成されていることを特徴とする。
【手続補正７】
【補正対象書類名】明細書
【補正対象項目名】００２３
【補正方法】変更
【補正の内容】
【００２３】 請求項４記載の発明は、コロナハウスの前端と後端に、長手方向に、該コロナハウス内への進入を防止するとともに、画像形成部を通過した転写材を定着手段に搬送するガイドローラを設けることを特徴とする。また、請求項５記載の発明は、コロナハウスには、前記ローラ体に移動した前記転写材上に、風を吹き付ける送風手段が設けられていることを特徴とする。
【手続補正８】
【補正対象書類名】明細書
【補正対象項目名】００２４
【補正方法】変更
【補正の内容】
【００２４】 請求項６記載の発明は、定着手段と第２搬送手段との距離を、転写材が定着手段近傍に移動するに伴い、帯電手段によって転写材に付与された帯電量が減衰し、さらに、転写材が定着手段近傍に移動したときには、転写材に形成されたトナー像に付与された帯電量と略同量となる長さを有することを特徴とする。
【手続補正９】
【補正対象書類名】明細書
【補正対象項目名】００２５
【補正方法】変更
【補正の内容】
【００２５】 請求項７記載の発明は、搬送手段を、転写材を画像形成部に移動させる第１搬送手段と、転写材にトナー像が形成された後、転写材を定着手段に移動させる第２搬送手段とし、第２搬送手段を、転写材の搬送方向を偏位する回転自在なローラ体と、転写材を介してローラ体に、トナーの極性と同極性の印加電圧を付与する帯電手段とを設け、帯電手段は、転写材にトナー像が形成された面に対向して開口を備えるとともに、ローラ体の湾曲部に沿うように形成されたコロナハウスと、該コロナハウス内に張架されたコロナワイヤとを備え、コロナハウスの前端と後端には、長手方向に、該コロナハウス内への進入を防止するとともに、画像形成部を通過した転写材を定着手段に搬送するガイドローラを設け、定着手段と第２搬送手段との距離を、転写材が定着手段近傍に移動するに伴い、帯電手段によって転写材に付与された帯電量が減衰し、転写材が定着手段近傍に移動したときには、転写材に形成されたトナー像に付与された帯電量と略同量となる長さとしたことを特徴とする。